(57)【特許請求の範囲】
【請求項１】
葺設時に、第１の軒瓦の衿の上に、第１の軒瓦に隣接する第２の軒瓦の桟が位置する軒瓦であり、
軒瓦の頭側に、略垂直に垂れ下がっている垂れ部が形成されており、
垂れ部の桟側の端部に、前面が垂れ部の衿側の前面よりも尻側に平行にオフセットしているオフセット部が形成されており、
衿側の側面であって、葺設時に隣接する軒瓦のオフセット部の桟側端部に対応する部位に窪みが設けられており、
葺設時に、第２の軒瓦のオフセット部の桟側端部が、平面視したときに第１の軒瓦の前記窪みに位置するとともに、正面視したときに第１の軒瓦の垂れ部の衿側端部の後方に重なることを特徴とする軒瓦。
【請求項２】
葺設時に、第１の軒瓦の衿の上に、第１の軒瓦に隣接する第２の軒瓦の桟が位置する軒瓦であり、
軒瓦の頭側に、略垂直に垂れ下がっている垂れ部が形成されており、
垂れ部の桟側の端部に、前面が垂れ部の衿側の前面よりも尻側に平行にオフセットしているオフセット部が形成されており、
衿側の側面であって、葺設時に隣接する軒瓦のオフセット部の桟側端部に対応する部位に、頭側が側方に突出している段差部が設けられており、
葺設時に、第２の軒瓦のオフセット部の桟側端部が、平面視したときに第１の軒瓦の前記段差部の後方に重なるとともに、正面視したときに第１の軒瓦の垂れ部の衿側端部の後方に重なることを特徴とする軒瓦。
【請求項３】
葺設時に、第１の軒瓦の垂れ部の衿側の前面と、第２の軒瓦の桟の前面が同一平面を形成することを特徴とする請求項１又は２に記載の軒瓦。
【発明の詳細な説明】
【技術分野】
【０００１】
本発明は、軒瓦に関する。特に、葺設時に、第１の軒瓦の衿の上に、第１の軒瓦に隣接する第２の軒瓦の桟が位置する軒瓦に関する。
【背景技術】
【０００２】
屋根瓦のうち、軒に沿って葺設される瓦は軒瓦と呼ばれている。軒瓦は、他の瓦と同様に屋根への雨水の浸入を防止する機能が要求されるのはもちろんのこと、前面（頭側の側面）が目に付くので建物の外観を印象付ける重要なものである。
従来、軒瓦の種類として一文字軒瓦と呼ばれている軒瓦と万十軒瓦と呼ばれている軒瓦が知られている。一文字軒瓦は、特許文献１の図８に例示されており、万十軒瓦は特許文献１の図９に例示されている。
一文字軒瓦は、葺設したときに隣接する軒瓦同士の前面が面一となるとともに、隣接する軒瓦が滑らかに連続して見えるので外観上好ましい。しかしながら、一文字軒瓦は、隣接する２枚の軒瓦の境界が人目に曝される。隣接する軒瓦の境界に隙間が生じていると外観を損なうため、一文字軒瓦は、所定枚数の軒瓦を隙間なく並べたときの全幅が、軒の全幅に等しくなるように、瓦の幅を一つひとつ手作業で調整する必要がある。そのため、一文字軒瓦は高コストである。なお、瓦の幅を一つひとつ調整する作業は「合端合わせ」と呼ばれている。
他方、万十軒瓦は、隣接する２枚の軒瓦の接合面を隠すために、桟側の前面（頭側の側面）に巴部と呼ばれる円板状の部位を備えている。正面視（瓦の頭側の側面を手前に見る視点）したときに、隣接する２枚の軒瓦の境界が巴部の背後に隠れるため、境界に隙間があっても外観上は見えない。所定枚数の軒瓦を並べたときの全幅が軒の全幅に等しくなるように、隣接する軒瓦の間に隙間を設けることができるため、一文字軒瓦のような調整作業を必要とせず低コストである。しかしながら、万十軒瓦は円板状の巴部が正面に見えるために外観状好ましくはなかった。なお、所定枚数の軒瓦を並べたときの全幅を軒の全幅に調整することを「きき幅の長さを調整する」という。
巴部を備えることなく、かつ、きき幅の長さ調整のために一つひとつの瓦の幅を調整する必要のない軒瓦が特許文献１に開示されている。特許文献１に開示された軒瓦は、葺設したときに隣接する軒瓦を相対的に離隔又は接近可能な摺動面を備えている。特許文献１の軒瓦は、隣接した軒瓦同士を摺動面に沿ってスライドさせることによって、巴部を備えることなく、複数毎の軒瓦を並べたときの全幅を調整可能としている。
【０００３】
説明を容易にするために、本明細書で用いる用語を明らかにしておく。略矩形板状の軒瓦の四方の側面のうち、頭側の面を「前面」と称し、前面に交差する２つの面を「側面」と称する。前面が向いている方向を軒瓦の「前方」と称し、側面が向いている方向を「側方」と称する。軒瓦は、葺設したときに、第１の軒瓦の一方の側端部の上に、第１の軒瓦に隣接する第２の軒瓦の側端部が位置する。軒瓦の２つの側端部のうち、葺設したときに上側に位置する部分を「桟」と称し、下方に位置する部分を「衿」と称する。「桟」と「衿」は、それぞれ「オーバーラップ部」と「アンダーラップ部」と呼ばれることもある。軒瓦の頭側に略垂直に垂れ下がっている部分を「垂れ部」と称する。なお、万十軒瓦における垂れ部は「剣」と呼ばれることもある。特許文献１に開示された軒瓦における「第１の係合部１２」は「衿」に相当し、「第２の係合部１４」は「桟」に相当する。また、略矩形板状の軒瓦をその厚み方向の上方から見ることを「平面視」と定義し、前方から見ることを「正面視」と定義する。
【０００４】
【特許文献１】特開平８−５３９０６号公報
【発明の開示】
【発明が解決しようとする課題】
【０００５】
特許文献１の軒瓦は、巴部を要しないが、一文字軒瓦ほどには外観が好ましくない。仔細に検討するとその理由は次のとおりであることが判明した。
特許文献１の軒瓦は、葺設したときに第１の軒瓦の衿（第１の係合部１２）の上に第２の軒瓦の桟（第２の係合部１４）が位置するとともに、第１の軒瓦の垂れ部の衿側端部が第２の軒瓦の垂れ部の桟側端部の後方に重なる。すなわち、第１の軒瓦の衿側端部が第２の軒瓦の桟側の内側（桟と垂れ部に囲まれた空間）に嵌まり込む。そのため、第１の軒瓦と第２の軒瓦の境界が上下方向に伸びる線として明確に現れてしまう。そのため、隣接する軒瓦が連続しているようには見えない。この点は、巴部が桟側端部に形成されている万十軒瓦でも同様である。
他方、一文字軒瓦は、正面視したときに、第２の軒瓦の桟が、垂れ部同士の境界を越えて第１の軒瓦の衿の上方に伸びていることが視認できるので、隣接する軒瓦が連続しているように見える。このことが外観の美しさを際立たせている。
本発明は、上記の課題に鑑みて創作されたものであり、葺設したときに隣接する軒瓦が一文字軒瓦のごとく滑らかに連続するような外観を呈しながら、きき幅の長さ調整するために一つひとつの軒瓦の幅を調整する手間を要せず低コストで葺設できる軒瓦を提供することを目的とする。
【課題を解決するための手段】
【０００６】
本発明の軒瓦は、葺設時に、第１の軒瓦の衿の上に、第１の軒瓦に隣接する第２の軒瓦の桟が位置する軒瓦である。この軒瓦の頭側には、略垂直に垂れ下がっている垂れ部が形成されている。垂れ部の桟側の端部に、前面が垂れ部の衿側の前面よりも尻側に平行にオフセットしているオフセット部が形成されている。また、衿側の側面であって、葺設時に隣接する軒瓦のオフセット部の桟側端部に対応する部位に窪みが設けられている。この軒瓦は、葺設時に、第２の軒瓦のオフセット部の桟側端部が、平面視したときに第１の軒瓦の衿の窪みに位置するとともに、正面視したときに第１の軒瓦の垂れ部の衿側端部の後に重なることを特徴とする。
【０００７】
あるいは本発明の軒瓦は、上記した窪みに代えて段差部が設けられていてもよい。段差部は、衿側の側面であって、葺設時に隣接する軒瓦のオフセット部の桟側端部に対応する部位に設けられており、段差部の頭側が側方に突出している。そして、葺設時に、第２の軒瓦のオフセット部の桟側端部が、平面視したときに第１の軒瓦の段差部の後方に重なるとともに、正面視したときに第１の軒瓦の垂れ部の衿側端部の後方に重なることを特徴とする。
【０００８】
本発明の軒瓦は、葺設したときに、第１の軒瓦の衿の上に第２の軒瓦の桟が位置するとともに、正面視したときに、第２の軒瓦のオフセット部の桟側端部が、第１の軒瓦の垂れ部の衿側端部の後方に重なる。即ち、正面視したときに、第１の軒瓦の垂れ部の衿側端部が視認されるとともに、第２の軒瓦の桟が垂れ部同士の境界を越えて第１の軒瓦の衿の上方に伸びていることが視認される。即ち、本発明の軒瓦は、葺設時の境界線が、略鉛直方向に伸びる一本の線でなく、略鉛直方向に伸びる線と、これに連続する略水平方向に伸びる線として視認される。従って本発明の軒瓦は、葺設時に隣接する軒瓦同士が滑らかに連続しているような外観を呈する。同時に本発明の軒瓦は、第２の軒瓦のオフセット部の桟側端部が、第１の軒瓦の垂れ部の衿側端部の後に重なるので、隣接する軒瓦の側方向の距離を広げても、垂れ部の間の隙間が正面から視認されることがない。すなわち、きき幅の長さ調整するために一つひとつの軒瓦の幅を調整する手間を必要としない。本発明の上記効果は、垂れ部にオフセット部を形成するとともに、衿側の側面に窪み或いは段差部を設けたことによって実現される。
【０００９】
本発明の軒瓦はさらに、葺設時に、第１の軒瓦の垂れ部の衿側の前面と、第２の軒瓦の桟の前面が同一平面を形成することが好ましい。そのように構成することによって、第１の軒瓦と第２の軒瓦が一層連続しているような外観を呈する。
【発明の効果】
【００１０】
本発明によれば、葺設時に隣接する軒瓦が一文字軒瓦のごとく滑らかに連続するような外観を呈しながら、きき幅の長さ調整するために一つひとつの軒瓦の幅を調整する手間を要せず低コストで葺設できる軒瓦を実現できる。
【実施例】
【００１１】
（第１実施例）
図面を参照して、第１実施例の軒瓦１０を説明する。図１は、軒瓦１０の平面図である。図２は、軒瓦１０の正面図である。図３は、軒瓦１０の背面図である。図４は、軒瓦１０の右側面図である。図５は、軒瓦１０の左側面図である。図６は、軒瓦１０の底面図である。軒瓦１０において、図１の上側端部は「尻」と呼ばれており、下側端部は「頭」と呼ばれている。
図７は、葺設時に隣接する２枚の軒瓦１０Ｘと１０Ｙの位置関係を示している。図７（ａ）は、葺設された２枚の軒瓦を平面視した図であり、図７（ｂ）は正面視した図である。
図８は、葺設時に隣接する２枚の軒瓦１０Ｘと１０Ｙの連結部分の拡大斜視図である。図８では、図を理解しやすいように、軒瓦１０Ｙを仮想線で表している。また図８では、垂れ部３０（後述）のうち基部３２（後述）の図示を省略している。
【００１２】
軒瓦１０は、本体１２の一方の側方に桟１４が形成されており、他方の側方に衿１６が形成されている。図７に示すように、葺設時に、隣接する２枚の軒瓦１０Ｘ、１０Ｙのうち、第１の軒瓦１０Ｘの衿１６の上に、第２の軒瓦１０Ｙの桟１４が位置する。本体１２と桟１４、或いは本体１２と衿１６は、必ずしも明確に区別できるものではない。葺設時に重なる部分のうち、上方に位置する部分が桟１４と呼ばれ、下方に位置する部分が衿１６と呼ばれる。
軒瓦１０の尻側の端部に沿って、本体１２および衿１６の表面から隆起している水返し２０が形成されている。軒瓦１０の衿側の端部、即ち衿１６の側端部に沿って、衿１６の表面から隆起している水返し２２が形成されている。水返し２０と２２は、衿１６の尻側端部で連続している。符号２１は、軒瓦１０を屋根に固定するための釘を通す釘孔である。
【００１３】
軒瓦１０の衿側の側面（即ち、衿１６の側面）に、窪み１８が形成されている。瓦の流れ方向（頭と尻を結ぶ方向）における窪み１８の位置は、後述するオフセット部３４の位置に対応している。
【００１４】
軒瓦１０の頭側に、略垂直に垂れ下がっている垂れ部３０が形成されている。垂れ部３０の衿側端部３０ａは軒瓦１０の衿側の端面まで達している。他方、垂れ部３０の桟側端部３４ａは、軒瓦１０の桟側の端面まで達しておらず、本体１２と桟１４の境界よりやや桟端部側に位置している。より具体的には、桟側端部３４ａは、桟芯（正面視したときの桟１４の上面の頂点）よりやや桟端部側に位置している。
垂れ部３０は、本体１２から連なっている基部３２と、基部３２の下側に連なっているオフセット部３４から形成されている。基部３２の前面は、本体１２の前面、桟１４の前面、及び衿１６の前面に面一である。即ち、基部３２の前面、本体１２の前面、桟１４の前面、及び衿１６の前面が一平面を形成している。
オフセット部３４の前面は、基部３２の前面よりも尻側にオフセットしている。即ち、オフセット部３４の前面は、基部３２の前面よりも尻側に位置している。
なお、基部３２の後面とオフセット部３４の後面は面一となっている。図３に描かれている破線は、便宜上、基部３２とオフセット部３４を区別するための補助的な線である。
【００１５】
図７及び図８に示すとおり、葺設時に、軒瓦１０Ｙのオフセット部３４の桟側端部３４ａ（即ち、垂れ部３０の桟側端部）が、軒瓦１０Ｘの窪み１８に位置する。そして、正面視したときに（図７（ｂ）参照）、軒瓦１０Ｙのオフセット部３４の桟側端部３４ａが、軒瓦１０Ｘの垂れ部３０の衿側端部３０ａの後に重なる。従って、図７（ｂ）に示すように、葺設時に、隣接する２枚の軒瓦１０Ｘ、１０Ｙを正面から視認すると、それらの軒瓦の境界は、略水平方向の伸びる桟１４と衿１６の境界線（図７（ｂ）の線Ａ）と、略鉛直方向に伸びる垂れ部３０の衿側端部３０ａの境界線（図７（ｂ）の線Ｂ）で形成される。即ち、２枚の軒瓦の境界は、略鉛直方向に伸びる線Ｂと、これに連なる略水平方向に伸びる線Ａによって逆Ｌ字状に視認される。従って、葺設された軒瓦１０を正面視すると、隣接する軒瓦１０Ｘと１０Ｙは連続しているような外観を呈する。このとき、軒瓦１０Ｙの桟側端部３４ａと軒瓦１０Ｘとの間に隙間が生じても、その隙間は軒瓦１０Ｘの垂れ部３０の衿側端部３０ａの後に位置することになり正面から視認されることがない。従って、きき長さを調整するために、隣接する軒瓦１０Ｘと１０Ｙの側方向の相対的位置をずらしても、両者の間の隙間が視認されることがない。
【００１６】
他方、軒瓦１０の垂れ部３０の衿側の前面（基部３２の前面）、本体１２の前面、桟１４の前面、及び衿１６の前面はひとつの平面を形成する。すなわち、平面視すると、隣接する軒瓦１０Ｘ、１０Ｙの頭側の端部が一直線となる（図７（ａ）参照）。従って葺設時、軒瓦１０Ｘの垂れ部３０の衿側の前面（基部３２の前面）と、軒瓦１０Ｙの桟１４の前面が同一平面を形成し、隣接する軒瓦１０Ｘと１０Ｙが一層連続しているような外観を呈する。
【００１７】
本実施例の軒瓦１０は、葺設時に、一方の軒瓦１０Ｙの桟１４が他方の軒瓦１０Ｘの衿１６の上方に位置するとともに、一方の軒瓦１０Ｙのオフセット部３４（垂れ部３０の一部）の桟側端部が、他方の軒瓦１０Ｘの垂れ部３０の衿側端部の後方に重なる。そのため、本発明の軒瓦は葺設時に隣接する瓦間の境界が逆Ｌ字となる。従来の瓦（例えば万十軒瓦）のように、他方の軒瓦１０Ｘの衿側端部全体が、一方の軒瓦１０Ｙの桟側端部の内側（桟と垂れ部が形成する空間）に収まってしまうと、両瓦の境界が鉛直方向に伸びる一本の線として明確に視認されてしまうので連続しているようには見えないが、本発明の軒瓦は境界線が逆Ｌ字に形成されることによって、両瓦が連続しているような外観を呈するのである。葺設された軒瓦を正面から見たときに軒瓦同士の境界線が逆Ｌ字に形成されるのは一文字軒瓦や鎌軒瓦の特徴であり、本発明の軒瓦は、合端合わせを要することなく、一文字軒瓦や鎌軒瓦の如き高級なイメージを醸すことができる。
【００１８】
（第２実施例）
図９に、第２実施例の軒瓦１１０の平面図を示す。この軒瓦１１０は、第１実施例の軒瓦１０と衿側端部の形状が異なる。軒瓦１１０は、その衿側の側面に、葺設時に隣接する軒瓦のオフセット部３４の桟側端部３４ａに対応する部位に、頭側が側方に突出している段差部１１８が形成されている。その他の部位の形状は第１実施例の軒瓦１０と同じである。軒瓦１１０は、葺設時の正面視が図７（ｂ）と同じとなる。以下、図７（ｂ）の軒瓦１０Ｘと１０Ｙを、本実施例の軒瓦１１０Ｘ、１１０Ｙとみなして説明する。軒瓦１１０は、葺設時に、右側の軒瓦１１０Ｙのオフセット部３４（垂れ部３０の一部）の桟側端部３４ａが、正面視したときに左側の軒瓦１１０Ｘの衿１６の段差部１１８の後方に位置する。同時に、右側の軒瓦１１０Ｙのオフセット部３４の桟側端部３４ａが、正面視したときに軒瓦１１０Ｘの垂れ部３０の衿側端部３０ａの後方に重なる。第２実施例の軒瓦１１０も、第１実施例の軒瓦１０と同じ効果を奏する。
【００１９】
（第３実施例）
図１０に、第２実施例の軒瓦２１０を示す。図１０（ａ）は、軒瓦２１０の平面図を示しており、図１０（ｂ）は軒瓦２１０の正面図を示している。この軒瓦２１０は、第１実施例の軒瓦１０と頭側の形状、特に垂れ部２３０の形状が異なる。垂れ部２３０は、衿側垂れ部２３２と、桟側垂れ部２３４から形成されている。桟側垂れ部２３４の前面は、衿側垂れ部２３２の前面よりも尻側にオフセットしている。即ち、軒瓦２１０の桟側垂れ部２３４は、第１実施例の軒瓦１０のオフセット部３４に対応する。
また、軒瓦２１０は、平面視すると、頭側端面の桟側が衿側よりも尻側にオフセットしている。別言すれば、桟１４の前面が衿１６の前面よりも尻側にオフセットしている。この軒瓦２１０は、葺設時に、第１の軒瓦の垂れ部２３０の衿側の前面（衿側垂れ部２３２の前面）と、第２の軒瓦の桟１４の前面が同一平面を形成しない点を除いて、第１実施例の軒瓦１０と同じ効果を奏する。
【００２０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００２１】
例えば、第３実施例の軒瓦２１０では、衿側垂れ部２３２の前面と桟側垂れ部２３４の前面が段差を介して連続している。これに変えて、垂れ部の前面を、平面視したときに軒瓦の尻側端面に対して傾斜する傾斜面に形成してよい。このとき傾斜面は、平面視したときに衿側から桟側へ向けて徐々に尻側に近づく傾斜面にする。すなわち、衿側垂れ部２３２の前面と桟側垂れ部２３４の前面を、共に軒瓦の尻側端面に対して傾斜している同一の平面として形成してもよい。
本明細書に開示した技術は、正面視したときに本体が湾曲して見える和瓦だけでなく、本体が平板状の平板瓦に適用することも好適である。
【００２２】
また、実施例の軒瓦は、正面から見て垂れ部の下端が湾曲している鎌軒瓦と呼ばれるタイプの軒瓦であるが、本発明は、正面から見て垂れ部の下端が直線をなしている一文字軒瓦と呼ばれるタイプの軒瓦に適用することも好適である。
【００２３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００２４】
【図１】第１実施例の軒瓦の平面図を示す。
【図２】第１実施例の軒瓦の正面図を示す。
【図３】第１実施例の軒瓦の背面図を示す。
【図４】第１実施例の軒瓦の右側面図を示す。
【図５】第１実施例の軒瓦の左側面図を示す。
【図６】第１実施例の軒瓦の底面図を示す。
【図７】葺設時に隣接する軒瓦の位置関係を示す。
【図８】葺設時に隣接する軒瓦の連結部分の拡大斜視図を示す。
【図９】第２実施例の軒瓦の平面図を示す。
【図１０】第３実施例の軒瓦の平面図と正面図を示す。
【符号の説明】
【００２５】
１０、１１０、２１０：軒瓦
１２：本体
１４：桟
１６：衿
１８：窪み
２０、２２：水返し
３０：垂れ部
３２：基部
３４：オフセット部
１１８：段差部
【図１】
0005184165.tif 000002
【図２】
0005184165.tif 000003
【図３】
0005184165.tif 000004
【図４】
0005184165.tif 000005
【図５】
0005184165.tif 000006
【図６】
0005184165.tif 000007
【図７】
0005184165.tif 000008
【図８】
0005184165.tif 000009
【図９】
0005184165.tif 000010
【図１０】
0005184165.tif 000011